(57)【要約】【課題】情報を視覚と聴覚で伝達する平面構造の装置を提供すること。【解決手段】表示板２は、例えば電子ペーパーである。振動発生部１２が表示板２の一部又は全部を振動させることによって音が発生する。つまり、表示板２は、平面スピーカの振動板４としての機能を兼ね備えている。制御部５は、温度計７とＷＢＧＴ測定器８から出力された測定値のいずれかに変化があった場合に、記憶部６から画像データを読み出し、最新の気温と暑さ指数が表示されるように画像データを書き換えて表示板駆動回路１０に出力する。制御部５は、人感センサ９が人の接近を検知したならば、最新の気温、暑さ指数、熱中症注意報に対応する音声データを記憶部６から読み出して振動板駆動回路１１に出力する。【選択図】図２
2017058395.tif 000002
【特許請求の範囲】
【請求項１】
平面構造の表示手段と平面構造の音声出力手段とを同一平面上に備えた看板。
【請求項２】
人の接近を検知する検知手段を有し、人の接近を検知すると前記音声出力手段から音声を発生する請求項１に記載の看板。
【請求項３】
ＷＢＧＴ（暑さ指数）を前記表示手段及び前記音声出力手段により通知する請求項１又は２に記載の看板。
【請求項４】
鏡と平面構造の表示手段と平面構造の音声出力手段とを同一平面上に備え、
前記鏡の前に居る人に対して画像認識を行う画像認識手段を備え、
前記画像認識手段による認識結果に基づいて、前記鏡の前に居る人について予め決められた装備の不足を判断し、不足する装備を前記表示手段及び前記音声出力手段により通知する検査装置。
【発明の詳細な説明】
【技術分野】
【０００１】
本発明は、視覚と聴覚を通じて情報を伝達する技術に関する。
【背景技術】
【０００２】
特許文献１には、公衆が通行又は集合する場所に設置され、通信ネットワークを介してサーバーコンピュータから受信した災害情報を表示する電子看板が開示されている。具体的には、電子看板は、設置場所の地理的条件及び社会的条件に関する情報である場所条件情報と、予め定められた災害情報表示パターンを複数記憶する。通信ネットワークを介してサーバーコンピュータから災害情報を受信し、災害情報の種類、災害情報の内容、及び、場所条件情報に基づいて災害情報の重要度を判定するとともに複数の表示パターンの中から対応した表示パターンを決定して表示する。
【先行技術文献】
【特許文献】
【０００３】
【特許文献１】特開２０１３−１７１４８０号公報
【発明の概要】
【発明が解決しようとする課題】
【０００４】
ところで、工事現場などでは、作業員が安全に作業を行うために、様々な情報を作業員に提供して注意喚起することが求められる。例えば、夏季の作業では、熱中症に関する注意喚起が求められる。
そこで、本発明は、情報を視覚と聴覚で伝達する平面構造の装置を提供する。
【課題を解決するための手段】
【０００５】
本発明は、平面構造の表示手段と平面構造の音声出力手段とを同一平面上に備えた看板を提供する。
上記の構成において、人の接近を検知する検知手段を有し、人の接近を検知すると前記音声出力手段から音声を発生するようにしてもよい。
上記の構成において、ＷＢＧＴ（暑さ指数）を前記表示手段及び前記音声出力手段により通知するようにしてもよい。
また、本発明は、鏡と平面構造の表示手段と平面構造の音声出力手段とを同一平面上に備え、前記鏡の前に居る人に対して画像認識を行う画像認識手段を備え、前記画像認識手段による認識結果に基づいて、前記鏡の前に居る人について予め決められた装備の不足を判断し、不足する装備を前記表示手段及び前記音声出力手段により通知する検査装置を提供する。
【発明の効果】
【０００６】
本発明によれば、情報を視覚と聴覚で伝達する平面構造の装置を提供することができる。
【図面の簡単な説明】
【０００７】
【図１】看板１の外観を示す図。
【図２】看板１の電気的構成を示す図。
【図３】検査装置２０の正面図。
【図４】検査装置２０の電気的構成を示す図。
【発明を実施するための形態】
【０００８】
本発明を実施するための形態の一例について説明する。
図１は、看板１の外観を示す図である。（ａ）は、正面図、（ｂ）は、右側面図である。看板１は、表示板２と、表示板２を支持する脚部を備える。
【０００９】
図２は、看板１の電気的構成を示す図である。看板は１、表示板２、振動板４、制御部５、記憶部６、温度計７、ＷＢＧＴ測定器８、人感センサ９、表示板駆動回路１０、振動板駆動回路１１、振動発生部１２を備える。表示板２は、例えば、ツイストボール方式の電子ペーパーである。振動発生部１２が表示板２の一部又は全部を振動させることによって音が発生する。つまり、表示板２は、平面スピーカの振動板４としての機能を兼ね備えている。振動発生部１２は、例えば圧電素子である。つまり、表示板２は平面構造の表示手段の一例であり、振動板４は平面構造の音声出力手段の一例であり、この表示手段と音声出力手段は同一平面上に備えられている。
【００１０】
制御部５は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶されている。ＲＡＭは、ＣＰＵが演算を実行する際のデータの記憶に用いられる。
【００１１】
記憶部６は、画像データと音声データを予め記憶している。画像データは、表示板２に表示する画像（図１参照）のひな形を表すラスタデータである。この画像データでは、気温（図１の「只今の気温」）と暑さ指数の初期値として、例えば０℃が設定されている。
【００１２】
温度計７は、気温を測定して測定値を制御部５に出力する。ＷＢＧＴ測定器８は、暑さ指数（Wet Bulb Globe Temperature、湿球黒球温度）を測定して測定値を制御部５に出力する。人感センサ９は、例えば赤外線や超音波などを用いて人の接近を検知し、検知結果を制御部５に出力する。
【００１３】
制御部５は、温度計７とＷＢＧＴ測定器８から出力された測定値のいずれかに変化があった場合に、記憶部６から画像データを読み出し、最新の気温と暑さ指数が表示されるように画像データを書き換えて表示板駆動回路１０に出力する。表示板駆動回路１０は、制御部５から出力された画像データに基づく電気信号を、表示板２を構成する電子ペーパーの電極に出力する。図１の例では、最新の気温（只今の気温）として２６℃、最新の暑さ指数として２３℃が表示されている。暑さ指数の下方には、暑さ指数に基づく警戒の指針を表す熱中症注意報が表示されている。熱中症注意報は、危険（３１℃以上）、厳重警戒（２８℃〜３１℃）、警戒（２５℃〜２８℃）、注意（２１℃〜２５℃）の４段階である。
【００１４】
記憶部６に記憶されている音声データは、振動発生部１２に発生させる振動の周波数や振幅などを表すデータであり、気温や暑さ指数に応じた複数のパターンの音声データが記憶されている。具体的には、気温については、「只今の気温は○○℃です。」という音声を示す音声データが例えば−２０℃から４０℃まで１℃刻みで作成されており、この音声データが記憶部６に記憶されている。暑さ指数についても同様に、「暑さ指数は○○℃です。」という音声を示す音声データが１℃刻みで作成されており、この音声データが記憶部６に記憶されている。熱中症注意報については、「熱中症注意報は○○です。」という音声を示す音声データが危険、厳重警戒、警戒、注意の各段階で作成されており、この音声データが記憶部６に記憶されている。
【００１５】
制御部５は、人感センサ９の検知結果に基づいて以下の処理を実行する。具体的には、制御部５は、人感センサ９が人の接近を検知したならば、最新の気温、暑さ指数、熱中症注意報に対応する音声データを記憶部６から読み出して振動板駆動回路１１に出力する。振動板駆動回路１１は、制御部５から出力された音声データに基づく電気信号を振動発生部１２に出力する。振動発生部１２は、振動板駆動回路１１から出力された電気信号に応じた振動を発生し、この振動が振動板４に伝達されて音が発生する。例えば、図１に示す画像を表示中の看板１に人が接近すると、「只今の気温は２６℃です。暑さ指数は２３℃です。熱中症注意報は注意です。」という音声が発せられる。
【００１６】
＜変形例＞
上記の実施形態を次のように変形してもよい。
＜変形例１＞
図３は、検査装置２０の正面図である。検査装置２０は、表示板２と鏡２１を備える。
図４は、検査装置２０の電気的構成を示す図である。検査装置２０は、表示板２、振動板４、制御部５、記憶部６、人感センサ９、表示板駆動回路１０、振動板駆動回路１１、振動発生部１２、撮像部２２、を備える。以下、実施形態と相違する部分について説明する。
【００１７】
記憶部６は、画像データと音声データを予め記憶している。画像データは、表示板２に表示する画像（図３参照）のひな形を表すラスタデータである。この画像データは、人が身につけた装備を図示した画像を表す画像データである。例えば、建設工事に従事する作業員の場合、人の上半身の輪郭と、ヘルメット、反射板付きベスト、ＩＤカードなどの装備を配置した画像が表示される。撮像部２２は、例えばデジタルスチールカメラである。
【００１８】
制御部５は、人感センサ９の検知結果に基づいて以下の処理を実行する。具体的には、作業員が自身の装備を確認するために鏡２１に向かって立つ。すると、人感センサ９が作業員の接近を検知する。作業員の接近が検知されたならば、撮像部２２が作業員を撮像して画像データを生成し、この画像データを制御部５に出力する。制御部５は、この画像データで表される画像を解析し、記憶部６に予め記憶されている画像データとの比較により、ヘルメット、反射板付きベスト、ＩＤカードなどの装備が装着されているか否かを判定する。装着されていない装備がある場合には、その装備が装着されていない旨を表示と音声で通知する。例えば、ヘルメットが装着されていない場合、ヘルメットの部分を点滅させる。また、「ヘルメットを被ってください。」といった音声を出力する。つまり、この構成は、鏡と平面構造の表示手段と平面構造の音声出力手段とを同一平面上に備え、前記鏡の前に居る人に対して画像認識を行う画像認識手段を備え、前記画像認識手段による認識結果に基づいて、前記鏡の前に居る人について予め決められた装備の不足を判断し、不足する装備を前記表示手段及び前記音声出力手段により通知する検査装置の一例である。
【００１９】
＜変形例２＞
人感センサ９が人の接近を検知した場合に、最新の暑さ指数に対応する熱中症注意報を強調して表示してもよい。例えば、最新の暑さ指数に対応する熱中症注意報が注意である場合に、注意の部分を点滅させてもよい。あるいは、危険、厳重警戒、警戒の部分を表示せずに、注意の部分だけを表示させてもよい。
【００２０】
＜変形例３＞
振動板４が指向性を有する音声を発生するようにしてもよい。例えば、看板１の正面に位置する人だけに音声が聞こえるように指向性が付与された音声を発生させてもよい。
【００２１】
＜変形例４＞
上記のアプリケーションプログラムを、光記録媒体、半導体メモリ等、コンピュータで読み取り可能な記録媒体に記録して提供し、この記録媒体からプログラムを読み取ってインストールするようにしてもよい。また、このプログラムを電気通信回線で提供してもよい。
【符号の説明】
【００２２】
１  看板、２  表示板、４  振動板、５  制御部、６  記憶部、７  温度計、８  ＷＢＧＴ測定器、９  人感センサ、１０  表示板駆動回路、１１  振動板駆動回路、１２  振動発生部、２０  検査装置、２１  鏡、２２  撮像部
【図１】
2017058395.tif 000003
【図２】
2017058395.tif 000004
【図３】
2017058395.tif 000005
【図４】
2017058395.tif 000006